(57)【特許請求の範囲】
【請求項１】
傘軸と、該傘軸の先端部付近に設けた上ろくろと、この上ろくろに、基部を傾動自在に枢支した複数の親骨と、この親骨に固定される傘布と、上記傘軸を挿通すると共に、該傘軸にスライド自在に設けた筒状の摺動ろくろと、該摺動ろくろと上記親骨の中間部とをそれぞれ両端部において傾動自在に連結する複数の受骨と、
傘を完全に展開した状態で固定するために、上記摺動ろくろを上記傘軸の上部で係止させる上部係止手段と、
傘を完全に閉じた状態で固定するために、上記摺動ろくろを上記傘軸の下部で係止させる下部係止手段と、
上記摺動ろくろに設けた、上記傘軸を挟持して、上記摺動ろくろを上記傘軸の中間部に固定する固定手段とよりなり、
上記固定手段は、上記摺動ろくろに設けた、上記傘軸を挿通すると共に、内径が縮小可能な内筒部と、上記内筒部により上記傘軸を挟持して、上記摺動ろくろを上記傘軸に固定できるまで、上記内筒部の内径を縮小させる縮小手段とよりなることを特徴とする傘。
【請求項２】
上記内筒部は、上記摺動ろくろの下端部を下方に延長させて形成した筒状体よりなると共に、該内筒部は、この周壁の下端から所望の長さ上方に延びる、周方向に離間して複数形成したスリットと、該内周部の外表面に形成したネジ山とよりなり、
上記縮小手段は、上記内筒部の外側から螺合する筒状の外筒部よりなり、
該外筒部は、その内径が、上部から下部に向かって徐々に小さくなるように形成されると共に、該外筒部の内周面には、上記内筒部のネジ山に螺合されるネジ溝が形成されていることを特徴とする請求項１記載の傘。
【発明の詳細な説明】
【技術分野】
【０００１】
本発明は傘、特に、完全に開いた状態と、半開きの状態で傘を開いて固定できる傘に関するものである。
【背景技術】
【０００２】
台風などで強い風が吹く場合、傘を完全に開いた状態にすると、傘が裏返してオチョコになってしまい雨を防ぐのが難しくなる。
【０００３】
そこで、従来、傘を完全に開いた状態で固定する上はじきと、傘を完全に閉じた状態で固定する下はじきにとの間に、更に、傘を半開きの状態で固定できる中はじきを設けた傘がある（特許文献１）。
【０００４】
上記従来の傘であれば、傘を半開きの状態に固定できるので、強い風が吹いても、傘にかかる力が小さくでき、オチョコを防げ、また、雨からもある程度防ぐことができる。
【先行技術文献】
【特許文献】
【０００５】
【特許文献１】実用新案登録第３１０２１４９号公報
【発明の概要】
【発明が解決しようとする課題】
【０００６】
しかしながら、上記従来の傘では、例えば、傘を完全に閉じた状態から、完全に開いた状態に、上記摺動ろくろを下部から上部に移動させる時に、かならず、中はじきで固定されてしまうため、その都度、中はじきの解除が必要で、風が強くない普段の使用の場合において、操作が煩わしいという欠点があった。
【０００７】
本発明は、上記の欠点をなくすようにしたものである。
【課題を解決するための手段】
【００１３】
本発明の傘は、傘軸と、該傘軸の先端部付近に設けた上ろくろと、この上ろくろに、基部を傾動自在に枢支した複数の親骨と、この親骨に固定される傘布と、上記傘軸を挿通すると共に、該傘軸にスライド自在に設けた筒状の摺動ろくろと、該摺動ろくろと上記親骨の中間部とをそれぞれ両端部において傾動自在に連結する複数の受骨と、傘を完全に展開した状態で固定するために、上記摺動ろくろを上記傘軸の上部で係止させる上部係止手段と、傘を完全に閉じた状態で固定するために、上記摺動ろくろを上記傘軸の下部で係止させる下部係止手段と、上記摺動ろくろに設けた、上記傘軸を挟持して、上記摺動ろくろを上記傘軸の中間部に固定する固定手段とよりなり、上記固定手段は、上記摺動ろくろに設けた、上記傘軸を挿通すると共に、内径が縮小可能な内筒部と、上記内筒部により上記傘軸を挟持して、上記摺動ろくろを上記傘軸に固定できるまで、上記内筒部の内径を縮小させる縮小手段とよりなることを特徴とする。
【００１４】
また、上記内筒部は、上記摺動ろくろの下端部を下方に延長させて形成した筒状体よりなると共に、該内筒部は、この周壁の下端から所望の長さ上方に延びる、周方向に離間して複数形成したスリットと、該内周部の外表面に形成したネジ山とよりなり、上記縮小手段は、上記内筒部の外側から螺合する筒状の外筒部よりなり、該外筒部は、その内径が、上部から下部に向かって徐々に小さくなるように形成されると共に、該外筒部の内周面には、上記内筒部のネジ山に螺合されるネジ溝が形成されていることを特徴とする。
【発明の効果】
【００１６】
本発明によれば、摺動ろくろを半開きの状態に固定する中間部係止部の機能を解除する手段を設けたので、普段の使用における操作の煩わしさがなくなるという大きな利益がある。
【００１７】
摺動ろくろを傘軸の任意の位置で固定できるので、任意の開閉度で傘を固定することができるようなる。
【図面の簡単な説明】
【００１８】
【図１】本発明の傘の斜視図である。
【図２】該傘の中間部係止手段と機能解除手段とからなる要部の縦断説明図である。
【図３】該要部の正面図である。
【図４】図２のＡ−Ａ線拡大断面図である。
【図５】該要部の使用様態を示す縦断説明図である。
【図６】該要部の使用様態を示す正面図である。
【図７】該要部のカバー体の他の実施例の正面図である。
【図８】該要部のカバー体の更に他の実施例の拡大縦断説明図である。
【図９】該要部の機能解除手段の他の実施例の縦断説明図である。
【図１０】該要部の機能解除手段の他の実施例の正面図である。
【図１１】該要部の機能解除手段の他の実施例の横断説明図である。
【図１２】該要部の機能解除手段の他の実施例の使用状態を示す縦断説明図である。
【図１３】該要部の機能解除手段の他の実施例の使用状態を示す正面図である。
【図１４】該要部の他の実施例の縦断説明図である。
【図１５】該要部の他の実施例の使用状態を示す縦断説明図である。
【図１６】本発明の他の実施例の傘の固定手段の分解断面図である。
【図１７】本発明の他の実施例の傘の固定手段の側面図である。
【図１８】本発明の他の実施例の傘の他の固定手段の断面図である。
【図１９】本発明の他の実施例の傘の他の固定手段の断面図である。
【発明を実施するための形態】
【００１９】
以下図面によって本発明の実施例を説明する。
【実施例１】
【００２０】
図１〜図６は本発明の第１実施例の傘１を示し、該傘１は、中空の傘軸２と、該傘軸２の先端部付近に設けた上ろくろ３と、この上ろくろ３に、基部を傾動自在に枢支した複数の親骨４と、この親骨４に固定される傘布５と、上記傘軸２に挿通し、該傘軸２をスライド（摺動）自在に設けた摺動ろくろ６と、該摺動ろくろ６と上記親骨４の中間部とをそれぞれ両端部において傾動自在に連結した複数の受骨７と、傘を完全に展開した状態で固定するために、上記摺動ろくろ６を上記傘軸２の上部で係止させて固定する上部係止手段８と、傘を完全に畳んだ状態で固定するために、上記摺動ろくろ６を上記傘軸２の下部で係止させて固定する下部係止手段９と、傘を半開きとした状態で固定するために、上記摺動ろくろ６を上記傘軸２の中間部で係止して固定する中間部係止手段１０と、上記摺動ろくろ６を上記傘軸２の中間部で係止できなくするために、上記中間部係止手段１０の係止機能を無くすための機能解除手段１１とよりなる。
【００２１】
なお、１２は、上記傘軸２の基部に設けたグリップである。
【００２２】
また、上記摺動ろくろ６は、図１に示すように、上記傘軸２を挿通する、円筒状に形成された本体６ａと、該本体６ａの周壁に貫通して形成した、軸方向に延びる矩形状の係止孔６ｂとよりなり、この係止孔６ｂ又は、上記摺動ろくろ６の下端部に、後述するように、上記傘軸２の外周面から外方に突出自在な上部係止手段８の止め具８ｂ、下部係止手段９の止め具９ｂ、中間部係止手段１０の止め具１０ｂが、それぞれ係合されて、上記摺動ろくろ６が、所望の位置に固定されるようになる。なお上記係止孔６ｂは貫通していなくてもよい。
【００２３】
また、上記上部係止手段８は、上記傘軸２の上部の、上記上ろくろ３の下方部分に設けた、軸方向に延びる矩形状の貫通孔８ａと、この貫通孔８ａを通じて、上記傘軸２の内部から外方に突出し、或いは上記傘軸２の内部方向に引込自在な止め具８ｂと、この止め具８ｂを常時、上記貫通孔８ａから外方に突出するよう付勢する付勢手段（図示せず）とよりなる。
【００２４】
また、上記上部係止手段８の止め具８ｂは、上記摺動ろくろ６の下端部に係脱自在で、上記止め具８ｂが上記下端部に当接することにより、上記傘が完全に開いた状態で固定されるようになる。
【００２５】
また、上記止め具８ｂを上記付勢手段に抗して傘軸２の内部方向に押し込めば、上記止め具８ｂが上記摺動ろくろ６内に引き込まれて、上記摺動ろくろ６が軸方向に移動自在になる。
【００２６】
なお、傘の種類によっては、上記止め具８ｂが上記摺動ろくろ６の係止孔６ｂに係脱可能なものもある。
【００２７】
また、上記下部係止手段９は、上記傘軸２の下部の、上記グリップ１２の上方付近に設けた、軸方向に延びる矩形状の貫通孔９ａと、この貫通孔９ａを通じて、上記傘軸２の内部から外方に突出し、或いは上記傘軸２の内部方向に引込自在な止め具９ｂと、この止め具９ｂを常時、上記貫通孔９ａから外方に突出するよう付勢する付勢手段（図示せず）とよりなる。
【００２８】
また、上記下部係止手段９の止め具９ｂの先端部は、上記摺動ろくろ６の係止孔６ｂ内に係脱自在で、上記止め具９ｂが上記係止孔６ｂ内に挿入されることにより、上記傘が完全に閉じた状態で固定されるようになる。
【００２９】
また、上記止め具９ｂを上記付勢手段に抗して傘軸２の内部方向に押し込めば、上記止め具９ｂが上記係止孔６ｂから外れて、上記摺動ろくろ６が軸方向に移動自在になる。
【００３０】
また、上記中間部係止手段１０は、図２に示すように、上記上部係止手段８の貫通孔８ａと上記下部係止手段９の貫通孔９ａとの間に設けた、軸方向に延びる矩形状の貫通孔１０ａと、この貫通孔１０ａを通じて、上記傘軸２の内部から外方に突出し、或いは上記傘軸２の内部方向に引込自在な止め具１０ｂと、この止め具１０ｂを常時、上記貫通孔１０ａから外方に突出するよう付勢する付勢手段１０ｃとよりなる。
【００３１】
また、上記中間部係止部１０の止め具１０ｂの先端部は、上記摺動ろくろ６の係止孔６ｂ内に係脱自在で、上記止め具１０ｂが上記係合孔６ｂ内に挿入されることにより、上記傘が半開きの状態、即ち、傘が完全に開いた状態と完全に閉じた状態との中間の位置で固定されるようになる。
【００３２】
また、上記機能解除手段１１は、図２及び図３に示すように、上記傘軸２の外周面に、所望の深さで、上記中間部係止手段１０の貫通孔１０ａの一部又は全部を含む部分で、周方向に亘って形成した環状の溝部１１ａと、該環状の溝部１１ａに移動自在に嵌め込んだ、筒状の板体からなるカバー体１１ｂと、該カバー体１１ｂに設けた、軸方向に延びる貫通孔１１ｃとよりなる。
【００３３】
また、上記貫通孔１１ｃは、上記中間部係止手段１０の貫通孔１０ａから外方に突出した止め具１０ｂが、貫通して、更に前記カバー体１１ｂの外周面から外方に突出できる大きさに形成されている。
【００３４】
また、上記筒状のカバー体１１ｂの外径は、上記傘軸２の外径と一致、又は若干小さく形成されている。
【００３５】
また、上記止め具１０ｂの先端部を、図２に示すように、軸方向において、例えば、半径方向外方に突出する凸状に弧状となるように湾曲させる。これにより、上記止め具１０ｂを押圧した時に、該止め具１０ｂが上記摺動ろくろ６の内側に潜り込みやすくなる。なお、上記先端部の両端部１０ｄのみ、それぞれ凸状の弧状となるように湾曲させるようにしてもよい。また、湾曲させずに直線状に傾斜させてもよい。
【００３６】
また、上記止め具１０ｂの先端部を、図４に示すように、周方向において、例えば、半径方向外方に突出する凸状に弧状となるように湾曲させる。これにより、上記カバー体１１ｂが上記止め具１０ｂに当接した時に、該止め具１０ｂが上記カバー体１０ｂの下側にもぐりこみやすくなる。なお、先端部の両端部１０ｅのみ、それぞれ凸状に弧状に湾曲させるようにしてもよい。また、湾曲させずに直線状に傾斜させてもよい。
【００３７】
そして、上記カバー体１１ｂを上記溝部１１ａ内に沿って周方向に移動させて、上記カバー体１１ｂの貫通孔１１ｃと、上記中間部係止手段１０の貫通孔１０ａとを一致させて、上記中間部係止手段１０の貫通孔１０ａを開状態とすれば、上記貫通孔１０ａ、１１ｃを通じて、上記止め具１０ｂの先端部分が、上記カバー体１０ｂの外周面から外方に突出し、上記止め具１０ｂが上記摺動ろくろ６の係止孔６ａに係止できて、傘を半開きとした状態で固定できるようになる。
【００３８】
また、図５及び図６に示すように、上記止め具１０ｂを上記付勢手段１０ｃに抗して上記傘軸２の内部方向に押し込んで、上記カバー体１１ｂを上記溝部１１ａ内に沿って周方向に移動させて、上記カバー体１１ｂの貫通孔１１ｃと、上記中間部係止部１０の貫通孔１０ａとが一致しないようにして、上記貫通孔１０ａを上記カバー体１１ｂで塞ぎ、上記中間部係止手段１０の貫通孔１０ａを閉状態とすれば、上記止め具１０ｂが、上記カバー体１１ｂの外周面から外方に突出しなくなり、上記止め具１０ｂが上記摺動ろくろ６を係止できず、上記中間部係止手段１０の係止機能をなくし、上記摺動ろくろ６を上記傘軸２の中間部で固定できないようにすることができる。
【００３９】
本発明の第１実施例によれば、普段時、傘を半開きの状態としない場合においては、上記機能解除手段１１により、上記中間部係止手段１０の止め具１０ｂをカバー体１１ｂで塞いで、上記傘軸２の外周面から外方に突出しないようにして、上記摺動ろくろ６を係止できないようにすれば、傘を完全に閉じた状態から、傘を完全に開いた状態にするために、上記摺動ろくろ６を下部から上部に移動さても、上記摺動ろくろ６が途中の中間部係止手段１０の貫通孔１０ａで係止されるようなことがないので、操作の煩わしさがない。
【００４０】
また、傘を完全に開いた状態から、傘を完全に閉じた状態にするために、上記摺動ろくろ６を上部から下部に移動させても、上記摺動ろくろ６が途中の中間部係止手段１０の貫通孔１０ａで係止されるようなことがないので、操作の煩わしさがない。
【００４１】
そして、風が非常に強い時など、傘を半開きの状態で維持したい場合には、上記機能解除手段１１のカバー体１１ｂを移動させて、上記中間部係止手段１０の止め具１０ｂを、上記傘軸２の外周面から外方の突出させて、該中間部係止手段１０により、上記摺動ろくろ６を係止できるようにする。
【００４２】
なお、図７に示すように、上記カバー体１１ｂの貫通孔１１ｃの開口幅を広げると共に、少なくとも一方の縁辺１１ｄを軸方向において傾斜させて、該縁辺１１ｄの突出した前方部１１ｅが、上記止め具１０ｂの端部１０ｄ、１０ｅに先に当接して、上記止め具１０ｂが、上記カバー体１１ｂの下側にもぐりやすくするようにしてもよい。
【００４３】
なお、上記傾斜は直線状以外に、弧状に湾曲させてもよい。
【００４４】
また、図８に示すように、上記カバー体１１ｂの上記貫通孔１１ｃの縁辺１１ｄの端面を鋭角状に傾斜させて形成して（外表面から内表面に向かって後退するように形成して）、上記止め具１０ｂが上記カバー体１１ｂの下側にもぐりやすくするようにしてもよい。なお、上記傾斜は直線状以外に、弧状に湾曲させてもよい。
【００４５】
なお、上記機能解除手段１１は、上記カバー体１１ｂを上記傘軸２の周方向に移動自在にして、上記中間部係手段１０の貫通孔１０ａを塞ぐようにしたが、この機能解除手段１１を用いる代わりに、図９〜図１３に示すように、カバー体１３ｂを上記傘軸２の軸方向にスライド自在とした機能解除手段１３を用いてもよい。
【００４６】
即ち、上記機能解除手段１３は、上記傘軸２の外周面に、所望の深さで、上記中間部係止手段１０の貫通孔１０ａの一部又は全部を含む部分で、軸方向に形成した溝部１３ａと、該溝部１３ａを軸方向に移動自在に嵌め込んだ、弧状に湾曲した略矩形状の板状のカバー体１３ｂとよりなる。
【００４７】
また、上記弧状のカバー体１３ｂの外径は、上記傘軸２の外径と一致、又は若干小さく形成されている。
【００４８】
また、上記カバー体１３ｂの軸方向の長さは、上記溝部１３ａの軸方向の長さよりも小さく形成され、例えば、約半分の長さに形成され、上記カバー体１３ｂは、上記溝部１３ａ内において、軸方向において、スライド自在に設けられている。
【００４９】
なお、１４は、図１１に示すように、上記溝部１３ａの両側面に、軸方向に形成した凹状のスライド溝を示し、１５は、上記カバー体１３ｂの両側面に形成し上記スライド溝１４に係合可能な凸状のスライド凸部を示し、該凸部１５が上記スライド溝１４に係合されることにより、上記カバー体１３ｂが上記溝部１３ａ内をスライド自在となり、かつ、上記カバー体１３ｂが上記溝部１３ａから脱落することを防ぐことができる。
【００５０】
そして、図９〜図１１に示すように、上記カバー体１３ｂを上記溝部１３ａ内において軸方向にスライドさせて、上記カバー体１３ｂにより、上記中間部係止部１０の貫通孔１０ａを開状態とすれば、上記貫通孔１０ａを通じて、上記止め具１０ｂが、上記カバー体１３ｂの外周面の外方に突出し、上記止め具１０ｂが上記摺動ろくろ６の係止孔６ａを係止でき、傘を半開きとした状態で固定できるようになる。
【００５１】
また、図１２及び図１３に示すように、上記止め具１０ｂを上記付勢手段１０ｃに抗して上記傘軸２方向に押し込んで、上記カバー体１３ｂを上記溝部１３ａ内において軸方向にスライドさせて、上記カバー体１３ｂにより、上記中間部係止部１０の貫通孔１０ａを塞ぐようにして、上記中間部係止部１０の貫通孔１０ａを閉状態とすれば、上記止め具１０ｂが、上記カバー体１３ｂの外周面から外方に突出しなくなり、上記止め具１０ｂが上記摺動ろくろ６を係止できず、上記中間部係止手段１０の係止機能をなくし、上記摺動ろくろ６を上記傘軸２の中間部で固定できないようにすることができる。
【００５２】
なお、上記カバー体１１ｂと同様に、例えば、上記カバー体１３ｂの上側の縁辺を周方向において傾斜させたり、また、上記縁辺の端面を半径方向に鋭角状に傾斜させてもよい。
【実施例２】
【００５３】
本発明の第２実施例においては、上記第１実施例の傘１において、上部係止手段８、下部係止手段９、中間部係止手段１０を孔８ａ、９ａ、１０ａ（貫通していても、していなくてもよい）のみで構成し、第１実施例の摺動ろくろ６を用いる代わりに、上記孔８ａ、９ａ、１０ａに係脱可能な係脱手段１６を有する摺動ろくろ１７を用いる。
【００５４】
即ち、上記摺動ろくろ１７は、図１４及び図１５に示すように、上記傘軸２を挿通する、円筒状に形成された本体１７ａと、上記係脱手段１６とよりなり、該係脱手段１６は、上記本体１７ａの周壁に貫通して形成された、軸方向に延びる矩形状の貫通孔１８と、該貫通孔１８内の下部において、上記本体１７ａの内周面から内方に突出し、或いは上記貫通孔１８内に引込自在な止め具１９と、上記貫通孔１８内の上部において、上記本体１７ａの外周面から外方に突出した軸部２０と、該軸部２０の先端部に設けた頭部２１と、上記貫通孔１８内の両側壁２２間に横架した枢支ピン２３と、上記軸部２０の基部と上記止め具１９の基部とを連結し、上部において上記枢支ピン２３に回動自在に枢支される連結杆２４と、上記頭部２１と上記摺動ろくろ１７の外周面との間で、上記軸部２０に圧縮されて挿通されたコイルバネなどの付勢手段２５とよりなる。
【００５５】
そして、上記付勢手段２５により、上記止め具１９は、常に、上記摺動ろくろ１７の内周面から内方に突出し、上記止め具１９の先端部が、上記各孔８ａ、９ａ、１０ａ内に係合され、図１５に示すように、上記頭部２１を、上記枢支ピン２３回りで押圧傾動することにより、上記止め具１９が、上記付勢手段２５に抗して、上記貫通孔１８内に引き込まれ、上記止め具１９の先端部が上記孔８ａ、９ａ、１０ａから外れるように形成されている。
【００５６】
本発明の第２の実施例においても、普段の、傘を半開きの状態としない場合においては、図１５に示すように、上記機能解除手段１１、１３により、上記中間部係止部１０の孔１０ａを塞ぎ、上記摺動ろくろ１７を係止できないようにすれば、傘を完全に開いた状態から、傘を完全に開いた状態にするために、上記摺動ろくろ１７を下部から上部に移動さても、途中の中間部係止手段１０の孔１０ａで係止されるようなことがなく、煩わしさがない。
【００５７】
また、傘を完全に開いた状態から、傘を完全に閉じた状態にするために、上記摺動ろくろ１７を上部から下部に移動させても、途中の中間部係止手段１０の孔１０ａで係止されるようなことがなく、煩わしさがない。
【００５８】
そして、風が非常に強い時など、傘を半開きの状態で維持したい場合には、図１４に示すように、上記機能解除手段１１、１３のカバー体１１ｂ、１３ｂを移動させて、上記中間部係止手段１０の孔１０ａを開状態とし、上記摺動ろくろ１７の止め具１９を係合できるようにする。
【実施例３】
【００５９】
本発明の第３の実施例においては、上記第１の実施例の傘１において、中間部係止手段１０及び機能解除手段１１を用いる代わりに、上記摺動ろくろ６に、上記傘軸２の外周面を挟持して、上記摺動ろくろ６を上記傘軸２の中間部に固定できる固定手段を設ける。
【００６０】
この固定手段は、例えば、図１６及び図１７に示すように（なお、各図中、傘軸２は省略）、上記摺動ろくろ６に設けた、上記傘軸２を挿通すると共に、内径が縮小可能な内筒部２６と、この内筒部２６の内径を縮小させる縮小手段２７とを設ける。
【００６１】
上記内筒部２６は、例えば、上記摺動ろくろ６の下端部を下方に延長させて形成した筒状体よりなり、該内筒部２６は、この周壁の下端から所望の長さ上方に延びる、周方向に離間して複数形成したスリット２８と、該内周部２６の外表面に形成したネジ山２９とよりなり、上記スリット２８により、上記内筒部２６の内径が、縮小可能に形成されている。
【００６２】
上記縮小手段２７は、例えば、上記内筒部２６の外側から螺合する筒状の外筒部３０よりなり、該外筒部３０は、その内径が、上部から下部に向かって徐々に小さくなるように形成されると共に、該外筒部３０の内周面には、上記内筒部２６のネジ山２９に螺合されるネジ溝３１が形成されている。
【００６３】
そして、該外筒部３０を、上記内筒部２６に螺合するに従って、徐々に、上記外筒部３０の内周面が上記内筒部２６の外周面を押圧して、該内筒部２６の内径が徐々に縮小されるように形成されている。
【００６４】
また、上記内筒部２６と外筒部３０は、上記外筒部３０の上部のみを、上記内筒部２６の下端から螺合した時には、上記内筒部２６の内径は上記傘軸２の外径よりも大きくなるように形成され、この時において、上記摺動ろくろ６は、上記傘軸２に対して、スライド自在となり、また、上記外筒部３０の下部まで、上記内筒部２６に螺合した時には、上記内筒部２６の内径が縮小して、上記内筒部２６の内周面が上記傘軸２を挟持して、上記摺動ろくろ６を上記傘軸２に固定できるように形成されている。
【００６５】
なお、上記内筒部２６の内周面に、シリコンゴムなどの合成樹脂などの滑り止め部材（図示せず）を設ければ、固定がより確実になる。
【００６６】
本発明の第３の実施例によれば、普段時、傘を半開きの状態としない場合においては、内筒部２６が上記傘軸２を締め付けない程度に、上記外筒部３０を上記内筒部２６に螺合させ、傘を完全に閉じた状態から、傘を完全に開いた状態にするために、上記摺動ろくろ６を下部から上部に移動さても、従来のように、上記摺動ろくろ６が途中の中間部係止手段１０の貫通孔１０ａで係止されるようなことがないので、操作の煩わしさがない。
【００６７】
同様に、傘を完全に開いた状態から、傘を完全に閉じた状態にするために、上記摺動ろくろ６を上部から下部に移動させても、上記摺動ろくろ６が途中の中間部係止手段１０の貫通孔１０ａで係止されるようなことがないので、操作の煩わしさがない。
【００６８】
そして、風が非常に強い時など、傘を半開きの状態で維持したい場合には、摺動ろくろ６を、傘が希望の開閉度の半開きの状態となる位置で止めて、上記内筒部２６が上記傘軸２を挟持して固定できるまで、上記外筒部３０を上記内筒部２６に螺合させれば、上記摺動ろくろ６を傘軸２に固定できるようになる。
【００６９】
また、本発明の第３の実施例によれば、摺動ろくろ６を傘軸２の任意の位置で固定できるので、任意の開閉度で傘を固定することができるようなる。
【実施例４】
【００７０】
本発明の第４の実施例は、上記第３の実施例の固定手段の他の実施例を示し、この他の固定手段は、図１８及び図１９に示すように（なお、各図中、傘軸２は省略）、上記摺動ろくろ６の周壁の一方の側に設けた、上記傘軸２を押圧可能な押圧部材３２とよりなり、この押圧部材３２は、上記傘軸２を押圧した時に、上記押圧部材３２と上記摺動ろくろ６の周壁の他方の側とにより、上記傘軸２を挟持して、上記摺動ろくろ６を上記傘軸２に固定できるように形成されている。
【００７１】
上記押圧部材３２は、上記傘軸２に直交する方向の軸を有する枢支ピンなどの枢支部３３に、その基部３４ａを傾動自在に枢支した棒状部材３４と、上記基部３４ａに設けた、例えば、弾性部材よりなる凸部３５とよりなる。
【００７２】
そして、上記押圧部材３２は、上記棒状部材３４の遊端３４ｂを、図１８に示すように、下方に傾動させた時には、上記凸部３５が、上記摺動ろくろ６の周壁の一方の側に貫通して設けた開口部３６から内方に突出し、その先端部が上記傘軸２を押圧して、上記摺動ろくろ６の周壁の他方の側と上記凸部３５とにより、上記傘軸２を挟持して、上記摺動ろくろ６を上記傘軸２に固定できるように形成され、また、上記棒状部材３４の遊端３４ｂを、図１９に示すように、上方に傾動させた時には、上記凸部３５が、上記開口部３６から外にでて、傘軸２を押圧することなく、上記摺動ろくろ６は、上記傘軸２に対して、スライド自在になるように形成されている。
【００７３】
この実施例においても、上記第３の実施例と同様に、操作の煩わしさがなく、また、摺動ろくろ６を傘軸２の任意の位置で固定できるので、任意の開閉度で傘を固定することができるようなる。
【符号の説明】
【００７４】
１      傘
２      傘軸
３      上ろくろ
４      親骨
５      傘布
６      摺動ろくろ
６ａ    本体
６ｂ    係止孔
７      受骨
８      上部係止手段
８ａ    貫通孔
８ｂ    止め具
９      下部係止手段
９ａ    貫通孔
９ｂ    止め具
１０    中間部係止手段
１０ａ  貫通孔
１０ｂ  止め具
１０ｃ  付勢手段
１０ｄ  端部
１０ｅ  端部
１１    機能解除手段
１１ａ  溝部
１１ｂ  カバー体
１１ｃ  貫通孔
１１ｄ  縁辺
１１ｅ  前方部
１２    グリップ
１３    機能解除手段
１３ａ  溝部
１３ｂ  カバー体
１４    スライド溝
１５    凸部
１６    係脱手段
１７    摺動ろくろ
１７ａ  本体
１８    貫通孔
１９    止め具
２０    軸部
２１    頭部
２２    側壁
２３    枢支ピン
２４    連結杆
２５    付勢手段
２６    内筒部
２７    縮小手段
２８    スリット
２９    ネジ山
３０    外筒部
３１    ネジ溝
３２    押圧部材
３３    枢支部
３４    棒状部材
３４ａ  基部
３４ｂ  遊端
３５    凸部
３６    開口部
【要約】      （修正有）【課題】半開きに固定できる傘は、傘を完全に閉じた状態から開いた状態にする場合に、半開きにしたくない時にも、一旦、摺動ろくろが半開きの位置で固定されてしまうので、その解除が煩わしかったので、これを改善した傘を提供する。【解決手段】傘軸と、該傘軸の先端部付近に設けた上ろくろと、傘軸を挿通すると共に、傘軸にスライド自在に設けた筒状の摺動ろくろ６と、摺動ろくろと親骨の中間部とを、それぞれ両端部において傾動自在に連結する複数の受骨と、摺動ろくろを傘軸の上部で係止させる上部係止手段と、摺動ろくろを傘軸の下部で係止させる下部係止手段と、傘軸を挟持して、摺動ろくろを傘軸の中間部に固定する固定手段とよりなり、固定手段は、内径が縮小可能な内筒部２６と、内筒部により傘軸を挟持して、摺動ろくろを傘軸に固定できるまで、内筒部の内径を縮小させる縮小手段２７とよりなる。【選択図】図１７【図１】
0005759083.tif 000002
【図２】
0005759083.tif 000003
【図３】
0005759083.tif 000004
【図４】
0005759083.tif 000005
【図５】
0005759083.tif 000006
【図６】
0005759083.tif 000007
【図７】
0005759083.tif 000008
【図８】
0005759083.tif 000009
【図９】
0005759083.tif 000010
【図１０】
0005759083.tif 000011
【図１１】
0005759083.tif 000012
【図１２】
0005759083.tif 000013
【図１３】
0005759083.tif 000014
【図１４】
0005759083.tif 000015
【図１５】
0005759083.tif 000016
【図１６】
0005759083.tif 000017
【図１７】
0005759083.tif 000018
【図１８】
0005759083.tif 000019
【図１９】
0005759083.tif 000020